(57)【特許請求の範囲】
【請求項１】
外郭を構成するボデーと、前記ボデー上部に載置した注口と、前記ボデー内部に液体を収容する有底筒状の容器と、前記液体を加熱する加熱手段と、前記容器の上方開口部を覆う蓋体と、芯材を外袋で覆い内部を真空状態にして、前記容器の外周部に当接する真空断熱材とを有し、前記容器下部側に位置する前記真空断熱材の外袋のシール部であるフランジを下方に伸ばし、前記ボデーの底部に前記真空断熱材の前記フランジの両側に隣接する熱リーク防止壁を配した電気湯沸かし器。
【請求項２】
外郭を構成するボデーと、前記ボデー上部に載置した注口と、前記ボデー内部に液体を収容する有底筒状の容器と、前記容器内の液体を加熱する加熱手段と、前記容器の上方開口部を覆う蓋体と、芯材を外袋で覆い内部を真空状態にして前記容器の外周部に当接する真空断熱材とを有し、前記容器上部側に位置する前記真空断熱材の外袋のシール部であるフランジを上方に伸ばし、前記注口より略同軸の二つの円周リブを配し、前記二つの円周リブを前記真空断熱材外袋のフランジに隣接させた電気湯沸かし器。
【請求項３】
外郭を構成するボデーと、前記ボデー上部に載置した注口と、前記ボデー内部に液体を収容する有底筒状の容器と、前記液体を加熱する加熱手段と、前記容器の上方開口部を覆う蓋体と、芯材を外袋で覆い内部を真空状態にして前記容器の外周部に当接する真空断熱材とを有し、前記容器下部側に位置する真空断熱材の外袋のシール部であるフランジは容器底部を包み込むように折り込み、前記容器の底面を覆うようにした電気湯沸かし器。
【発明の詳細な説明】
【０００１】
【発明の属する技術分野】
本発明は、容器内に収容した液体を加熱、保温し、器体外へ導出する電気湯沸かし器に関するものである。
【０００２】
【従来の技術】
従来、この種の電気湯沸かし器は、図７、図８に示すようなものであった。以下に従来の電気湯沸かし器の構造を詳述する。図７において、２２は外郭を構成するボデーで、液体２４を収容する上面開口の容器２５を内包している。容器２５の外側面には真空断熱材３０が装着されている。２３は本体の上部に載置した注口で、中央開口部に容器２５を載置している。２６は液体を加熱、保温する加熱手段で、容器２５の底面部に固着している。２９は容器の上方開口部を覆う蓋体で構成されている。真空断熱材３０の外袋のシール部であるフランジ３０ｃは、容器非接触面へ折り曲げられる構成である。
【０００３】
以上の構成により、液体２４は加熱手段２６により一定温度に加熱・保温され、保温中は容器２５側面の真空断熱体３０により容器側面からの放熱を抑え、保温電力量を低減する構成となっていた。
【０００４】
【発明が解決しようとする課題】
しかしながら、上記従来の構成においては容器側の熱が容器接触面のフィルムの表面を伝達して、容器非接触面へリークする構成であった。
【０００５】
本発明は上記従来の課題を解決するもので、容器下部側にくる真空断熱材の外袋のシール部であるフランジを下方に伸ばし、ボデーの底部に真空断熱材の前記フランジに隣接する熱リーク防止部材を配した構成としたものである。
【０００６】
これにより真空断熱材の下端部における放熱を抑制し、断熱性能を向上させることができる。
【０００７】
【課題を解決するための手段】
上記課題を解決するために本発明の電気湯沸かし器は、容器の上方開口部を覆う蓋体と、芯材を外袋で覆い内部を真空状態にして、容器の外周部に当接する真空断熱材とを有し、前記容器下部側に位置する前記真空断熱材の外袋のシール部であるフランジを下方に伸ばし、前記ボデーの底部に前記真空断熱材の前記フランジの両側に隣接する熱リーク防止壁を配した構成としたものである。
【０００８】
これにより下端部における放熱を抑制できるため、保温時の電力量を低減でき経済性の高い電気湯沸かし器を提供することが出来る。
【０００９】
【発明の実施の形態】
本発明の請求項１記載の発明は、外郭を構成するボデーと、前記ボデー上部に載置した注口と、前記ボデー内部に液体を収容する有底筒状の容器と、前記液体を加熱する加熱手段と、前記容器の上方開口部を覆う蓋体と、芯材を外袋で覆い内部を真空状態にして、前記容器の外周部に当接する真空断熱材とを有し、前記容器下部側に位置する前記真空断熱材の外袋のシール部であるフランジを下方に伸ばし、前記ボデーの底部に前記真空断熱材の前記フランジの両側に隣接する熱リーク防止壁を配したことにより、容器側の熱が容器接触面のフィルムの表面を伝達して、容器非接触面への放熱を抑制できるため、保温時の消費電力量を低減できるという作用を有する。また、外袋のシール部であるフランジを折り曲げないので、加工が容易になり、加工時の外袋の傷が防げるため真空劣化が抑制される。
【００１０】
本発明の請求項２記載の発明は、外郭を構成するボデーと、前記ボデー上部に載置した注口と、前記ボデー内部に液体を収容する有底筒状の容器と、前記容器内の液体を加熱する加熱手段と、前記容器の上方開口部を覆う蓋体と、芯材を外袋で覆い内部を真空状態にして前記容器の外周部に当接する真空断熱材とを有し、前記容器上部側に位置する前記真空断熱材の外袋のシール部であるフランジを上方に伸ばし、前記注口より略同軸の二つの円周リブを配し、前記二つの円周リブを前記真空断熱材外袋のフランジに隣接させたことにより、容器側の熱が容器接触面のフィルムの表面を伝達して、容器非接触面への放熱を抑制できるため、注口部の放熱を抑制でき、保温時の消費電力を低減できるという作用を有する。また、外袋のシール部であるフランジを折り曲げないので、加工が容易になり、加工時の外袋の傷が防げるため真空劣化が抑制される。
【００１１】
本発明の請求項３記載の発明は、外郭を構成するボデーと、前記ボデー上部に載置した注口と、前記ボデー内部に液体を収容する有底筒状の容器と、前記液体を加熱する加熱手段と、前記容器の上方開口部を覆う蓋体と、芯材を外袋で覆い内部を真空状態にして前記容器の外周部に当接する真空断熱材とを有し、前記容器下部側に位置する真空断熱材の外袋のシール部であるフランジは容器底部を包み込むように折り込み、前記容器の底面を覆うようにしたことにより、容器側の熱が容器接触面のフィルムの表面を伝達して、容器非接触面への放熱を抑制できるため、容器底部からの放熱を抑制でき、保温時の消費電力量を低減できるという作用を有する。
【００１２】
【実施例】
以下、本発明の実施例について、図１〜図５を参照しながら説明する。本実施例の特徴的構成は断熱性能を向上させるための構成に関するものである。
【００１３】
（実施例１）
まず、本発明の第１の実施例について図１〜図２を参照しながら説明する。２は外郭を構成するボデーで、液体４を収容する上面開口の容器５を内包している。容器５の外側面には芯材１０ａ（シリカ、パーライトなどの無機粉末、あるいはグラスウールなどの無機繊維、硬質ウレタンフォーム、発泡フェノール樹脂、ガラス繊維の集合体など固形化したものなどを用いる）を外袋１０ｂ（樹脂フィルム、樹脂・金属箔ラミネートフィルム、例えば、ナイロン・ＰＥＴ・アルミ箔・無延伸ポリプロピレンなど）で覆い内部を真空状態（大気圧以下）にした真空断熱材１０は、外袋１０ｂのシール部であるフランジ１０ｃを下方に伸ばして装着され、ボデーの底部に真空断熱材のフランジに隣接する２つの円周リブで溝を形成した熱リーク防止部材１１を突設した構成をしている。３は本体の上部に載置した注口で、中央開口部に容器５を載置している。６は液体を加熱、保温する加熱手段で、容器５の底面部に固着している。９は容器の上方開口部を覆う蓋体で構成されている。
【００１４】
次に、本実施例における作用を説明する。液体４は加熱手段により一定温度に加熱、保温され、保温中は容器５の外周部に配置した筒状の真空断熱材１０（熱導率＝約０．００３〜０．００７ｋｃａｌ／ｍｈ℃）により、容器５の側面からの放熱を抑制できるものである。従来の構成では真空断熱材１０の下端部で、容器側の熱が容器接触面のフィルムの表面を伝達して、容器非接触面（低温部）への放熱が大きいため保温電力量の低減が非常に困難であった。しかしながら、本発明の構成においては、真空断熱材１０の外袋１０ｂのシール部であるフランジ１０ｃを下方に伸ばすことで、容器側の熱が容器接触面のフィルムの表面を伝達して、容器非接触面（低温部）への放熱を抑制できるため、保温電力量を低減させることができる。また、外袋１０ｂのシール部であるフランジ１０ｃを折り曲げないので、加工が容易になり、加工時の外袋の傷が防げるため真空劣化が抑制される。
【００１５】
（実施例２）
次に、本発明の第２の実施例について図３を参照しながら説明する。図３のように、容器上部側にくる真空断熱材１０の外袋１０ｂのシール部であるフランジ１０ｃを上方に伸ばし、注口より略同軸の二つの円周リブ１２（内周リブ１２ａ、外周リブ１２ｂ）を配し円周リブを真空断熱材外袋１０ｂのフランジ１０ｃに挟むように隣接させた構成としたものである。この構成により、容器側の熱が容器接触面のフィルムの表面を伝達して、容器非接触面への放熱を抑制できるため、注口部の放熱を抑制でき、保温時の消費電力を低減させることができる。また、外袋１０ｂのシール部であるフランジ１０ｃを折り曲げないので、加工が容易になり、加工時の外袋の傷が防げるため真空劣化が抑制される。
【００１６】
（実施例３）
次に、本発明の第３の実施例について図４を参照しながら説明する。図４のように、容器下部側にくる真空断熱材１０の外袋１０ｂのシール部であるフランジ１０ｃは容器底部を包み込むように折り込み、容器５の側面と底面を同時に覆う形状にした構成としたものである。この構成により、容器側の熱が容器接触面のフィルムの表面を伝達して、容器非接触面への放熱を抑制できるため、容器底部からの放熱を抑制でき、保温時の消費電力量を低減できる。
【００１７】
（実施例４）
次に、本発明の第４の実施例について図５を参照しながら説明する。図５のように、ボデーの内面リブ１３に真空断熱材１０を当接させた構成としたものである。この構成により、真空断熱材１０と容器５を密着させることにより対流を防止し、保温時の消費電力量を低減できる。また、真空断熱材１０とボデー内面との面接触を回避でき固体の熱伝導による断熱効果の悪化を最小限に抑えることができる。さらに、ボデー２と真空断熱材１０と形設したボデーの内面リブ１３で覆われた空気断熱隔離層により周方向での空気対流を抑えると同時に空気断熱効果で断熱性能を向上できる。
【００１８】
（実施例５）
次に、本発明の第５の実施例について図６を参照しながら説明する。図６のように、真空断熱材１０の外袋１０ｂを構成する層の一つであるガスバリアー層に容器接触側は耐熱性樹脂基材に金属蒸着を施した蒸着フィルム１０ｂ−１（例えば、エチレンとビニルアルコールとの共重合体樹脂フィルム基材にアルミニウムの蒸着を施したもの）を、容器非接触側には金属箔のフィルム１０ｂ−２（例えば、アルミニウムなど）を用いた構成としたものである。この構成により、容器側の熱が容器接触側フィルムの表面の伝達を抑制することができ、保温時の消費電力量を低減できる。
【００１９】
なお、蒸着フィルムはアルミニウムなど金属を蒸着したものだけでなく、酸化アルミニウムや酸化珪素などの金属酸化物を蒸着したものでも良い。
【００２０】
【発明の効果】
以上のように、請求項１〜３に記載の発明によれば、保温時の消費電力量を低減できる。
【図面の簡単な説明】
【図１】本発明の第１の実施例における電気湯沸かし器の縦断面図
【図２】本発明の第１の実施例における電気湯沸かし器の部分詳細図
【図３】本発明の第２の実施例における電気湯沸かし器の部分詳細図
【図４】本発明の第３の実施例における電気湯沸かし器の部分詳細図
【図５】本発明の第４の実施例における電気湯沸かし器の部分詳細図
【図６】本発明の第５の実施例における電気湯沸かし器の部分詳細図
【図７】従来の電気湯沸かし器の縦断面図
【図８】従来の電気湯沸かし器の部分詳細図
【符号の説明】
２  ボデー
３  注口
４  液体
５  容器
６  加熱手段
９  蓋体
１０  真空断熱材
１０ａ芯材
１０ｂ外袋
１０ｂ−１  金属蒸着フィルム
１０ｂ−２  金属箔フィルム
１０ｃ  フランジ
１１  熱リーク防止部材
１２  円周リブ
１２ａ  内周リブ
１２ｂ  外周リブ
１３  ボデー内面リブ
【図１】
0003596486.tif 000002
【図２】
0003596486.tif 000003
【図３】
0003596486.tif 000004
【図４】
0003596486.tif 000005
【図５】
0003596486.tif 000006
【図６】
0003596486.tif 000007
【図７】
0003596486.tif 000008
【図８】
0003596486.tif 000009